(57)【特許請求の範囲】
【請求項１】
骨伝導スピーカと気導マイクロホンと無線回路とを備えていて身体に装着可能にされ、前記無線回路を介して携帯電話機に無線接続可能にした通話装置であって、前記骨伝導スピーカと無線回路は、装飾性を有するペンダントヘッド部に収納され、前記気導マイクロホンは、前記ペンダントヘッド部をストラップに連結するためのバックル部に収納されることを特徴とする骨伝導スピーカを用いた通話装置。
【請求項２】
前記ペンダントヘッド部は、前記バックル部を介して前記ストラップに着脱可能に取り付けられた請求項１に記載の骨伝導スピーカを用いた通話装置。
【請求項３】
前記骨伝導スピーカと気導マイクロホンと無線回路のためのバッテリーは、前記ストラップに配備されることを特徴とする請求項１又は２に記載の骨伝導スピーカを用いた通話装置。
【請求項４】
前記バックル部はポケットに取付可能であることを特徴とする請求項１乃至３のいずれかに記載の骨伝導スピーカを用いた通話装置。
【請求項５】
前記通話装置は、前記無線回路を前記携帯電話機とリンクさせるための機能を具備する請求項１に記載の骨伝導スピーカを用いた通話装置。
【発明の詳細な説明】
【技術分野】
【０００１】  本発明は骨伝導スピーカを用いた通話装置、より詳細には、骨伝導スピーカを利用し、ペンダント型に構成されて、携帯電話機に無線接続して用いられる骨伝導スピーカを用いた通話装置に関する。
【背景技術】
【０００２】  通常、携帯電話機での会話は、その内蔵するスピーカを耳に当て、マイクロホンを口元に配して行ない、あるいは、イヤホンを利用して行なっている。携帯電話機で会話する場合は、携帯電話機を直ぐに取り出しやすい場所に携帯しておかなければならないが、その場合邪魔になることもあり、バッグ等に収納した場合には、発呼時に直ちに対応できないことが多い。一方、イヤホンを利用する場合は、イヤホンコードが邪魔になったり、常時イヤホンを耳に挿入するのに違和感があったりする等の欠点がある。【０００３】
【特許文献１】特開平１１−２５２２２１号公報
【特許文献２】特開２０００−１３４８５号公報
【特許文献３】特開２００１−１２７８６４号公報
【発明の開示】
【発明が解決しようとする課題】
【０００４】  上述したように、従来の携帯電話機での通話には種々の欠点があったので、本発明はそのような欠点のない、即ち、小型、軽量で装着性がよく、しかも、騒音の中でも聞き取りに支障がなく通話できる携帯電話機と共に用いる通話装置であって、非通話時にはペンダントとしてのアクセサリー機能も発揮し得る骨伝導スピーカを用いた通話装置を提供することを課題とする。
【課題を解決するための手段】
【０００５】  本発明は、骨伝導スピーカと気導マイクロホンと無線回路とを備えていて身体に装着可能にされ、前記無線回路を介して携帯電話機に無線接続可能にされることを特徴とする骨伝導スピーカを用いた通話装置、を以て上記課題を解決した。【０００６】  好ましくは、前記骨伝導スピーカと無線回路は、装飾性を有するペンダントヘッド部に収納され、また、前記気導マイクロホンは、前記ペンダントヘッド部をストラップに連結するためのバックル部に収納される。【０００７】  また、好ましくは、前記ペンダントヘッド部は、前記バックル部を介して前記ストラップに着脱可能に取り付けられ、前記骨伝導スピーカと気導マイクロホンと無線回路のためのバッテリーは、前記ストラップに配備される。【０００８】  更に、前記気導マイクロホンを収納するバックル部は、ポケットに取付可能にされることもある。
【発明の効果】
【０００９】  本発明の効果を列挙すれば、以下のとおりである。
１）ペンダント型に構成した通話装置を装着するだけでよく、一般のペンダントの感覚で装着できて邪魔にならない。
２）マイクロホン部をペンダントヘッド部のバックル部に収納したことにより、ペンダント型に構成した通話装置全体を小型化し易く、ハウリング対策も容易になる。
３）ペンダントヘッド部のバックル部をストラップ部から着脱自在にすることで、ペンダントヘッド部をペンダント以外のアクセサリーとして使用することもできる。
４）ストラップ部にバッテリーを別途備えることで、長時間使用することができ、ペンダントヘッド部の小型化が計れる。
【発明を実施するための最良の形態】
【００１０】  本発明を実施するための最良の形態につき、添付図面を参照しつつ説明する。図１に示されるように、本発明に係る骨伝導スピーカを用いた通話装置１は、骨伝導スピーカ５が装填されると共に無線回路が内蔵されるペンダントヘッド部２と、気導マイクロホン６が装備されるバックル部３と、上記バックル部３に対して着脱自在に取り付けられるストラップ４とで構成される。ペンダントヘッド部２には、更にバッテリーが組み込まれることもある。【００１１】  骨伝導スピーカ５は、音声を骨伝導音として伝達するものであって、ペンダントヘッド部２にその振動面を露出させて設置され、使用時にその振動面が耳の周辺部に密着状態にされる。骨伝導スピーカ５と気導マイクロホン６は、無線回路に電気的に接続される。気導マイクロホン６と無線回路とを結ぶコード７は、本装置のアクセサリー性を損なわないよう、適宜装飾性被覆を施したものとする。【００１２】  この通話装置１と無線接続する携帯電話機８との無線可能範囲は数ｍで十分と考えられる。従って、無線回路は、ブルートゥース方式による無線接続を実現する回路とすることが好ましい。これによりブルートゥース方式の無線回路は、通話装置１内で常時スタンバイモードを維持することが可能であり、長時間、通話装置１が使用されなかった場合でも、バッテリーを無駄に消費するようなことがない。【００１３】  更に好ましい実施形態においては、通話装置１に、骨伝導スピーカ５の頭骨への押付操作その他の着信応答操作機能を具備させ、それで以て携帯電話機８とのリンクを可能にする。このことは換言すれば、使用者が通話応答する際に、携帯電話機８のボタンの操作による着信の操作を省略できることを意味する。これにより、使用者が携帯電話機８を手に持ったり、携帯電話機８を直ぐに着信応答できるように取り出しやすい場所に置いたりする必要がなくなる。【００１４】  図２は本装置の使用方法を示すもので、携帯時には、一般のペンダントと同様にストラップ４を首に掛けることにより装着する。通話をする場合は、ストラップ４を首に掛けたまま、ペンダントヘッド部３の骨伝導スピーカ５を額、こめかみ、頬骨、眉間等に軽く接触させて受信音を聞く。その状態においてバックル部３の気導マイクロホン６は、自然と口元に近づくので、そのまま通話を行なうことが可能となる。【００１５】  図３に示す実施形態は、バックル部３にクリップを設けたり、裏側にホック等を取り付けたりすることにより、バックル部３をストラップ４から外し、あるいは、ストラップ４を付けたまま着衣のポケット等に装着可能にしたものである。その場合は、服装又は好みによる装着方法の選択を、より自由に行なうことが可能となる。【００１６】  図４に示す実施形態は、ストラップ４にバッテリー９を装備したものである。この場合、骨伝導スピーカ５、気導マイクロホン６、及び図示しない無線回路は、バッテリー９からの図示しない電源ケーブルに接続される。電源ケーブルは、好ましくはストラップ４を中空の紐状にしてその内側を通す等の方法により、ストラップ４等の外観を損なわないよう配慮することが好ましい。【００１７】  骨伝導スピーカ５と無線回路の収納体であるペンダントヘッド部２は、��ましくはゴム、ウレタン樹脂、シリコン樹脂等の吸振性を有する素材製、又はその素材をプラスチック、金属等の硬質材料で被覆したものとし、装飾性に富んだ任意の形状、模様、色彩の外観とする。【００１８】  本発明を実施するための最良の形態について説明してきたが、この発明の精神と範囲に反することなしに広範に異なる実施態様を構成することができることは明白なので、この発明は添付請求の範囲において限定した以外はその特定の実施態様に制約されるものではない。
【図面の簡単な説明】
【００１９】
【図１】本発明の一実施形態の外観を示す斜視図である。
【図２】本発明の一実施形態の使用方法を示す図である。
【図３】本発明の他の実施形態の使用方法を示す図である。
【図４】本発明の更に他の実施形態の使用方法を示す図である。
【図１】
0004231525.tif 000002
【図２】
0004231525.tif 000003
【図３】
0004231525.tif 000004
【図４】
0004231525.tif 000005